(57)【要約】【課題】複数のガス機器にガスを供給する場合のガス使用量の計測に関し、ガス流路毎に又はガス機器毎にガス使用量を計測できる等、ガス計量と課金体系の多様化を図る。【解決手段】ガス供給源（４）から供給されるガスを分流してガス機器に流す複数のガス流路（８１、８２・・・８ｎ）に対し、各ガス流路毎にガス流量を計測する複数の流量計測部（２８１、２８２・・・２８ｎ）を設置し、各流量計測部を順次に同一又は異なる時間間隔で流量計測を行わせ、その流量計測に基づき、ガス使用量を単一の計測回路部で演算する（測定演算部４０）構成である。【選択図】図２
2010043867.tif 000002
【特許請求の範囲】
【請求項１】
ガス供給源から供給されるガスを分流してガス機器に流す複数のガス流路と、
前記ガス流路毎に設置され、前記ガス流路に流れるガス流量を前記ガス流路毎に計測する複数の流量計測部と、
前記ガス流路毎に設置された前記流量計測部から計測信号を受け、各計測信号を基に前記ガス流路毎にガス使用量を算出する、前記流量計測部よりも少ない数の計測回路部と、
を備えることを特徴とするガスメーター。
【請求項２】
請求項１記載のガスメーターにおいて、
前記計測回路部は、複数の前記流量計測部毎に異なるタイミングで流量計測を行わせることを特徴とするガスメーター。
【請求項３】
請求項１又は２記載のガスメーターにおいて、
複数の前記流量計測部の流量計測の計測間隔を異ならせたことを特徴とするガスメーター。
【請求項４】
請求項１ないし３記載のガスメーターにおいて、
前記ガス使用量を表示する表示部を備え、該表示部に前記ガス使用量を前記ガス流路毎に表示することを特徴とするガスメーター。
【請求項５】
請求項１ないし４記載のガスメーターにおいて、
前記ガス使用量の料金を表示する料金表示部を備え、前記計測回路部は、前記ガス使用量を同一の課金率又は前記ガス流路毎に異なる課金率で料金に換算し、前記料金表示部の前記ガス流路毎に前記ガス使用量に対応する料金を表示することを特徴とするガスメーター。
【請求項６】
ガス供給源から供給されるガスを複数のガス流路に分流してガス機器に流す工程と、
前記ガス流路毎に流れるガス流量を前記ガス流路毎に、流量計測部よりも少ない数の計測回路部を用いて異なるタイミングで流量計測を行う工程と、
前記ガス流路毎にガス使用量を算出する工程と、
を含むことを特徴とするガス計測方法。
【請求項７】
請求項６記載のガス計測方法において、
前記流量計測の計測間隔を異ならせたことを特徴とするガス計測方法。
【請求項８】
請求項６のガス計測方法において、
前記ガス使用量を表示する表示部に前記ガス流路毎に表示することを特徴とするガス計測方法。
【請求項９】
請求項６ないし８記載のガス計測方法において、
前記ガス使用量を同一の課金率又は前記ガス流路毎に異なる課金率で料金に換算する工程と、
料金表示部の前記ガス流路毎に前記ガス使用量に対応する料金を表示部に表示する工程と、
を含むことを特徴とするガス計測方法。
【請求項１０】
コンピュータを用いるガス計測プログラムであって、前記コンピュータに、
ガス供給源から供給されるガスを複数のガス流路に分流してガス機器に流す機能と、
前記ガス流路毎に流れるガス流量を前記ガス流路毎に、流量計測部よりも少ない数の計測回路部を用いて異なるタイミングで流量計測を行う機能と、
前記ガス流路毎にガス使用量を算出する機能と、
を実現させることを特徴とするガス計測プログラム。
【請求項１１】
請求項１０記載のガス計測プログラムにおいて、
前記流量計測の計測間隔を異ならせたことを特徴とするガス計測プログラム。
【請求項１２】
請求項１０又は１１記載のガス計測プログラムにおいて、
前記ガス使用量を表示する表示部に前記ガス流路毎に表示することを特徴とするガス計測プログラム。
【請求項１３】
請求項１０ないし１２記載のガス計測プログラムにおいて、
前記ガス使用量を同一の課金率又は前記ガス流路毎に異なる課金率で料金に換算する機能と、
料金表示部の前記ガス流路毎に前記ガス使用量に対応する料金を表示部に表示する機能と、
を実現させることを特徴とするガス計測プログラム。
【請求項１４】
ガス供給源から供給されるガスを分流してガス機器に流す複数のガス流路と、
前記ガス流路毎に設置され、前記ガス流路に流れるガス流量を前記ガス流路毎に計測する複数の流量計測部と、
前記ガス流路毎に設置された前記流量計測部から計測信号を受け、各計測信号を基に前記ガス流路毎にガス使用量を算出する、前記流量計測部よりも少ない数の計測回路部と、
を備えることを特徴とするガス計測システム。
【請求項１５】
請求項１４記載のガス計測システムにおいて、
前記計測回路部は、複数の前記流量計測部毎に異なるタイミングで流量計測を行わせることを特徴とするガス計測システム。
【請求項１６】
請求項１４又は１５記載のガス計測システムにおいて、
前記流量計測部の流量計測の計測間隔を異ならせたことを特徴とするガス計測システム。
【請求項１７】
請求項１４ないし１６記載のガス計測システムにおいて、
前記ガス使用量を表示する表示部を備え、該表示部に前記ガス使用量を前記ガス流路毎に表示することを特徴とするガス計測システム。
【請求項１８】
請求項１４ないし１７記載のガス計測システムにおいて、
前記ガス使用量の料金を表示する料金表示部を備え、前記計測回路部は、前記ガス使用量を同一の課金率又は前記ガス流路毎に異なる課金率で料金に換算し、前記料金表示部の前記ガス流路毎に前記ガス使用量に対応する料金を表示することを特徴とするガス計測システム。
【発明の詳細な説明】
【技術分野】
【０００１】
本発明は、都市ガス等を用いる暖房機器、厨房機器、給湯機器、衣類乾燥機器等、複数のガス機器や異なるガス流路に流れるガスのガス使用量の計測に関し、特に、単一のガスメーターで複数のガス流路のガス使用量を計測するガスメーター、ガス計測プログラム、ガス計測方法及びガス計測システムに関する。
【背景技術】
【０００２】
従来、複数のガス機器に流れるガス流量の計測は、複数のガス機器に共通する一台のガスメーターを設置し、又は各ガス機器別に個別にガスメーターを設置して行う。前者の場合には各ガス機器のガス流量を計測できないため、各ガス機器の使用状況は推測する。このような推測式に対し、後者の別置き式では、正確な計測ができる。
【０００３】
ところで、例えば、暖房や冷房でのガスのシェアを拡大するには、コスト低減の他、ガス機器別に異なる料金設定等、新たなガス料金システムの導入がある。
【０００４】
新たなガス料金システムとしては、ガス消費パターンが異なるガス機器別にガス料金を設定するシステムが考えられる。例えば、エネルギー消費が高い冷暖房器具では、低いガス料金の料金体系とすれば、ガス需要を喚起し、他の化石燃料を利用するよりも環境負荷の小さいガス使用量の増大が期待できる。また、ガス機器別に異なる料金体系を設定すれば、ユーザに対するサービスも多様化され、ガス料金の低いことをガス機器の販売戦略に利用することもでき、そのガス機器の普及とともに、環境負荷の小さいガス使用量の増大に寄与することができる。
【０００５】
ガス機器別のガス料金設定では、例えば、通常料金と値引き料金の２系統を設定することが考えられるが、その場合、通常料金のガス機器と、値引き料金のガス機器とを区別してガス使用量を算出し、課金する必要がある。このガス使用量の算出に用いられるガスメーターには、単一のガスメーターに接続された複数のガス機器のガス使用量を選択して計測し、特定流量のガス機器のガス使用量を選択して積算する機能を具備しておらず、また、各ガス機器毎にガスメーターを設置してガス使用量を算出することはコストアップとなり、現実的ではない。
【０００６】
このような課題に対し、特許文献１では、ガス流量が定められた一定量増加した場合、所定時間後に使用量を積算するガスメーターが提案されている。
【０００７】
また、特許文献２では、ガスメーターに流れるガス流量パターンを判定アルゴリズムによって判定し、ある特定流量のガス機器のガス使用量のみを別積算するガスメーターが提案されている。このガスメーターでは、ガス流量が判定値Ｌ２になったときにスタートし、Ｌ１未満になったときに停止したと判定し、ガス使用量を別に積算し、また、時間Ｔ１、Ｔ２を判定値として持っており、このしきい値を超えない場合は使用停止／使用中の判定を無効としている。
【０００８】
そこで、特許文献３では、複数のガス機器を混在させたガス流路において、特殊料金用の特定ガス機器のみを推定してその使用量を別積算するためには、ガス機器で使用されるガス流量とそのガス機器が使用される時間という２つの要素を計測して判定することが必要となるが、従来のガスメーターでは、その判定を行うために、予め特定器具に該当する器具消費量の流量判定値及び使用時間を設定しておく必要があり、判定値を間違えると特定器具の使用量を積算することが不可能になることに鑑み、複数のガス機器が散在するガス流路において、個々にガス機器の流量や使用時間を設定しなくても、個々のガス機器におけるガス使用量を取り出すことが可能なガスメーターを提供することを課題とし、ガスの使用流量及び使用時間から記憶手段にある流量パターンを読み出し、この流量パターンからガス機器毎にガス使用量を取り出せるガスメーターについて開示されている。
【０００９】
また、このようなガス使用量の計測に関し、特許文献４には、各種のガス使用条件下でのガス使用量を積算する複数の積算値カウンタと、通常の積算値カウンタとを備える分計装置を備え、積算値カウンタによる積算動作に優先順位を付与し、ガス使用量の積算動作を行うことが開示されている。
【００１０】
特許文献５には、複数のガス流路の一つを測定流路とし、他のガス流路に対して異なるコンダクタンス比を設定し、各ガス流路に遮断機構を備えて開閉可能にしたことが開示されている。
【００１１】
また、特許文献６には、複数の超音波流量計を並列に備えるとともに、超音波流量計の流路毎に遮断弁を備え、流量の多少に応じて遮断弁を選択的に開閉し、単一又は複数の超音波流量計で流量を測定することが開示されている。
【特許文献１】特許第２９２７６２６号公報
【特許文献２】特開２００２−１６２２７８公報
【特許文献３】特開２００５−２５７３１０公報
【特許文献４】特開２００４−８５３０９公報
【特許文献５】特開２００１−１５９５４９公報
【特許文献６】特開２０００−２４１２１９公報
【発明の開示】
【発明が解決しようとする課題】
【００１２】
ところで、複数のガス機器に共通にガスメーターを設置してガス使用量を計測する場合には、各ガス機器の使用状況を推測しなければならず、その推測が正しいかどうかに不確かさがあり、課金や保安に用いる際に制約がある。また、各ガス機器毎に個別にガスメーターを設置すれば、正確にガス使用量を計測できるが、計測システムが大きくなり、複雑で高コストとなる。
【００１３】
図１５に示すように、ガスメーター１００では、計測流路１０２と、この計測流路１０２に設置された流量計測部１０４とを備え、流量計測部１０４の計測流量を計測回路部１０６で積算し、その積算値が表示部１０８に表示される。計測流路１０２の入口１１０側にはガス供給源側のガス供給路からガスＧが供給され、計測流路１０２の出口１１２側に接続された分岐路１１４からガス機器にガスＧが供給される。
【００１４】
このようなガスメーター１００を用いた場合、出口１１２側からガスＧの供給を受ける複数のガス機器では、そのガス使用量を直接計測することができず、推測するしかない。複数の超音波流量計を用いて計測する場合、計測流路や流量計測部はシンプルであり、膜式メーターほどの大きさや機構的な複雑さは生じないが、精密な電子回路から構成される計測回路部を複数必要とするため、高価なものになるという欠点があった。また、膜式等の体積式流量計は計測部が大きくなり、複雑であるという課題がある。
【００１５】
以上述べた通り、複数のガス機器に対して個別にガスメーターを設置することはコストの点で問題であり、また、各ガスメーター毎に設置されている電子回路部が無駄であるとともに、ガスメーターの専有面積や設備が大がかりになるという課題がある。
【００１６】
また、単一のガスメーターでガス流量を測定し、推測する場合（特許文献３）では、ガス機器の流量パターンが変化すると、そのガス機器の推定を誤る等の課題がある。
【００１７】
また、複数のガス流路を設置する場合（特許文献６）にも、各ガスメーターに個別に設置されている電子回路部がコストアップや電力消費を増大させるという課題がある。
【００１８】
また、複数のガス流路を一つのガスメーターに集約することが可能であるが、ガス流路毎にセンサ部を設置し、各センサ部毎に電子回路部を設置すれば、この場合もその電子回路部が無駄となり、電子回路部での消費電力を低減すべき課題がある。
【００１９】
また、ガス機器別や用途別にガス使用量の計量を行うには、複数のガスメーターをコストと設置スペースを無視して設置するか、単一のガスメーターを用いてガス機器別のガス流量を正確性を犠牲にして推定するかの何れかであるが、このようなガスメーターのガス流量計測及びその課金システムは実用に至っていない。
【００２０】
斯かる要求や課題について、特許文献１〜６にはその開示や示唆はなく、それを解決する構成等についての開示や示唆はない。
【００２１】
そこで、本発明の目的は、複数のガス機器のガス使用量の計測に関し、ガス流路毎に又はガス機器毎にガス使用量を計測できる等、ガス計量の多様化を図ることにある。
【００２２】
また、本発明の他の目的は、複数のガス機器のガス使用量の計測に関し、ガス流路毎に又はガス機器毎にガス使用量を計測できる等、ガス使用の課金形態の多様化を図ることにある。
【課題を解決するための手段】
【００２３】
上記目的を達成するため、本発明はガスメーター、ガス計測方法、ガス計測プログラム及びガス計測システムであって、ガス供給源から供給されるガスを分流してガス機器に流す複数のガス流路に対し、各ガス流路毎にガス流量を計測する複数の流量計測部を設置し、各流量計測部を同一又は異なる時間間隔で流量計測を行わせ、その流量計測に基づき、ガス使用量を単一の計測回路部で演算する構成である。
【００２４】
本発明の第１の側面は、ガスメーターであって、ガス供給源から供給されるガスを分流してガス機器に流す複数のガス流路と、前記ガス流路毎に設置され、前記ガス流路に流れるガス流量を前記ガス流路毎に計測する複数の流量計測部と、前記ガス流路毎に設置された前記流量計測部から計測信号を受け、各計測信号を基に前記ガス流路毎にガス使用量を算出する、前記流量計測部よりも少ない数の計測回路部とを備える構成である。斯かる構成により、上記目的が達成される。
【００２５】
上記目的を達成するためには、上記ガスメーターにおいて、好ましくは、前記計測回路部は、複数の前記流量計測部毎に異なるタイミングで流量計測を行わせてもよく、複数の前記流量計測部の流量計測の計測間隔を異ならせてもよく、前記ガス使用量を表示する表示部を備え、該表示部に前記ガス使用量を前記ガス流路毎に表示してもよく、前記ガス使用量の料金を表示する料金表示部を備え、前記計測回路部は、前記ガス使用量を同一の課金率又は前記ガス流路毎に異なる課金率で料金に換算し、前記料金表示部の前記ガス流路毎に前記ガス使用量に対応する料金を表示してもよい。斯かる構成によっても、上記目的が達成される。
【００２６】
本発明の第２の側面は、ガス計測方法であって、ガス供給源から供給されるガスを複数のガス流路に分流してガス機器に流す工程と、前記ガス流路毎に流れるガス流量を前記ガス流路毎に、流量計測部よりも少ない数の計測回路部を用いて異なるタイミングで流量計測を行う工程と、前記ガス流路毎にガス使用量を算出する工程とを含む構成である。斯かる構成により、上記目的が達成される。
【００２７】
上記目的を達成するためには、上記ガス計測方法において、好ましくは、前記流量計測の計測間隔を異ならせてもよく、前記ガス使用量を表示する表示部に前記ガス流路毎に表示してもよく、前記ガス使用量を同一の課金率又は前記ガス流路毎に異なる課金率で料金に換算する工程と、料金表示部の前記ガス流路毎に前記ガス使用量に対応する料金を表示部に表示する工程とを含む構成としてもよい。斯かる構成によっても、上記目的が達成される。
【００２８】
本発明の第３の側面は、コンピュータを用いるガス計測プログラムであって、前記コンピュータに、ガス供給源から供給されるガスを複数のガス流路に分流してガス機器に流す機能と、前記ガス流路毎に流れるガス流量を前記ガス流路毎に、流量計測部よりも少ない数の計測回路部を用いて異なるタイミングで流量計測を行う機能と、前記ガス流路毎にガス使用量を算出する機能とを実現させる構成である。斯かる構成により、上記目的が達成される。
【００２９】
上記目的を達成するためには、上記ガス計測プログラムにおいて、好ましくは、前記流量計測の計測間隔を異ならせてもよく、前記ガス使用量を表示する表示部に前記ガス流路毎に表示してもよく、前記ガス使用量を同一の課金率又は前記ガス流路毎に異なる課金率で料金に換算する機能と、料金表示部の前記ガス流路毎に前記ガス使用量に対応する料金を表示部に表示する機能とを実現させる構成としてもよい。斯かる構成によっても、上記目的が達成される。
【００３０】
本発明の第４の側面は、ガス計測システムであって、ガス供給源から供給されるガスを分流してガス機器に流す複数のガス流路と、前記ガス流路毎に設置され、前記ガス流路に流れるガス流量を前記ガス流路毎に計測する複数の流量計測部と、前記ガス流路毎に設置された前記流量計測部から計測信号を受け、各計測信号を基に前記ガス流路毎にガス使用量を算出する、前記流量計測部よりも少ない数の計測回路部とを備える構成である。斯かる構成により、上記目的が達成される。
【００３１】
上記目的を達成するためには、上記ガス計測システムにおいて、好ましくは、前記計測回路部は、複数の前記流量計測部毎に異なるタイミングで流量計測を行わせる構成としてもよく、前記流量計測部の流量計測の計測間隔を異ならせてもよく、前記ガス使用量を表示する表示部を備え、該表示部に前記ガス使用量を前記ガス流路毎に表示してもよく、前記ガス使用量の料金を表示する料金表示部を備え、前記計測回路部は、前記ガス使用量を同一の課金率又は前記ガス流路毎に異なる課金率で料金に換算し、前記料金表示部の前記ガス流路毎に前記ガス使用量に対応する料金を表示してもよい。斯かる構成によっても、上記目的が達成される。
【発明の効果】
【００３２】
本発明によれば、次のような効果が得られる。
【００３３】
(1) 複数のガス機器にガスを供給する場合のガス使用量の計測をガス流路毎に又はガス機器毎に設置した複数の流量計測部で行い、複数の流量計測部の計測出力から単一の計測回路部で複数のガス流路毎に又はガス機器毎に算出することができ、複数のガス流量の計測を低コストで実現することができる。
【００３４】
(2) ガス使用量を計測すべきガス流路毎に又はガス機器毎に複数の流量計測部と、単一の計測回路部との組み合わせにより、従来にはないガス計測を実現でき、ガス計測、その課金形態の多様化を図ることができる。
【００３５】
(3) ガス流路毎に又はガス機器毎にガス使用量を計測できる等、ガス使用の課金形態の多様化を図ることができる。
【００３６】
(4) ガス機器別や用途別のガス計測には、従来、複数のガスメーターを設置し、そのためにスペースを必要とし、また、機器別の流量の正確性を犠牲にして推定するという不都合があったが、共通の計測回路部を設置することによる設備の簡略化や、設置スペースの狭小化に加え、価格の低減化とともに、流量計測の精度を高めることができる。
【００３７】
(5) 計測回路部の共通化により、複数の流量計測部を時間的に切り替え、その際、流量変化が頻繁に起きる流路と、そうでない流路とに対応して計測時間に長短を設定するので、計測の時間間隔を長く設定しても、１流路を複数の機器で共用する場合に必要とされる高頻度での計測に比較して消費電力を低減させることができ、経済的である。
【００３８】
そして、本発明の他の目的、特徴及び利点は、添付図面及び各実施の形態を参照することにより、一層明確になるであろう。
【発明を実施するための最良の形態】
【００３９】
〔第１の実施の形態〕
【００４０】
本発明の第１の実施の形態について、図１及び図２を参照する。図１は、第１の実施の形態に係るガス計測システムを示す図、図２は、ガスメータの構成を示す図である。図１及び図２に示す構成は一例であって、斯かる構成に本発明が限定されるものではない。
【００４１】
このガス計測システム２は、ガス供給源４からガス供給路５を通して供給されるガスＧをガスメーター６を介して複数のガス流路として例えば、３本のガス流路８１、８２、８３に分流させるとともに、各ガス流路８１、８２、８３のガス流量を時分割で計測し、ガス流路８１、８２、８３毎のガス使用量を演算するシステムである。
【００４２】
ガス供給源４は、都市ガスの供給元や、ＬＰＧガスボンベ等の供給源である。本発明は都市ガスに限定されるものではない。
【００４３】
ガスメーター６は、ガス供給路５からのガスＧを分流する分流手段であるとともに、ガス流路８１、８２、８３毎のガス使用量を計測し、演算する手段であって、各ガス流路８１、８２、８３のガス流量を計測する計測手段、その計測値を時分割で各ガス流路８１、８２、８３毎に積算し、ガス使用量を演算する演算手段であるとともに、その演算結果を表示する表示手段を備えている。
【００４４】
ガス流路８１、８２、８３は、ガスメーター６によって個別にガス流量を計測する計測流路を構成する。ガス流路８１、８２、８３は、ガスの例えば、用途毎に設定される。この実施の形態では、ガス流路８１は厨房用ガス流路であって、ガス機器として厨房機器１２１、１２２・・・が接続されている。この厨房機器１２１、１２２には、ガスコンロやガスオーブン等の調理器具が含まれる。
【００４５】
ガス流路８２は給湯用ガス流路であって、ガス機器として給湯機器１４１、１４２・・・が接続されている。この給湯機器１４１、１４２には、ガスＧの燃焼によって上水や浴槽水を加熱する機器や、浴室乾燥機等が含まれる。
【００４６】
ガス流路８３は暖房用ガス流路であって、ガス機器として暖房機器１６１、１６２・・・が接続されている。この暖房機器１６１、１６２には、ガスＧの燃焼によって室内暖房、床暖房等を行う手段である。この場合、暖房機器と給湯機器とを一体化してもよい。また、ガス冷房器具を設置してもよい。
【００４７】
斯かる構成によれば、ガスメーター６では、ガス流路８１、８２、８３毎のガス使用量を計測し、各ガス流路８１、８２、８３毎にガス使用量を演算し、例えば、ガス流路８１、８２、８３毎に課金率を同一又は異なる値に設定し、顧客の多様なニーズに応えることができる。
【００４８】
このガス計測システム２に設置されたガスメーター６には、図２に示すように、ガス供給路５に接続される入口部１８と、ガス流路８１、８２、８３が接続される出口部２０１、２０２、２０３とが設けられ、入口部１８には入口側流路２２が接続され、この入口側流路２２には複数の分岐部２４が形成されて複数のガス流路として計測流路２６１、２６２、２６３が形成され、計測流路２６１、２６２、２６３には出口部２０１、２０２、２０３を介してガス流路８１、８２、８３が接続されている。各計測流路２６１、２６２、２６３には流量計測部２８１、２８２、２８３が設置されている。各流量計測部２８１、２８２、２８３は、ガス流路毎にガス流量を計測する複数の流量センサ部を構成している。従って、この実施の形態のガスメーター６は、単一のガスメーターであって、複数の流量計測部２８１、２８２、２８３を備えた１インマルチアウトの計測部を構成している。
【００４９】
流量計測部２８１、２８２、２８３は各計測流路２６１、２６２、２６３に流れるガスＧの流量を個別に計測する複数の流量センサ部であって、例えば、超音波ガスセンサで構成され、流量センサ部の駆動回路や、演算回路等の能動的な回路機能部分である計測機能回路部は計測回路部３０に設置されている。各流量計測部２８１、２８２、２８３は、計測回路部３０からの駆動信号を以て異なるタイミングにより同一又は異なる時間間隔での計測動作を行う。但し、流量計測部２８１、２８２、２８３に出力信号の増幅等の能動部分を備える構成としてもよい。
【００５０】
計測回路部３０は、各計測流路２６１、２６２、２６３を所定の時間間隔（時分割）で順次に動作させることにより、各計測流路２６１、２６２、２６３の計測ガス流量を流量計測部２８１、２８２、２８３から所定の時分割で取り込み、各計測流路２６１、２６２、２６３毎に積算し、ガス使用量を演算する演算手段である。この計測回路部３０には、その演算結果を表示する表示部３２が備えられ、この表示部３２には計測流路２６１、２６２、２６３（ガス流路８１、８２、８３）毎のガス流量の積算値であるガス使用量が表示される。この場合、ガス使用量の表示は、ガス流路８１、８２、８３毎のガス使用量をガス流路８１、８２、８３の識別情報とともに順次に表示し、また、その順次表示の後、全ガス使用量を表示してもよい。
【００５１】
次に、計測回路部３０の構成について、図３を参照する。図３は、計測回路部の構成例を示す図である。図３に示す構成は一例であって、斯かる構成に本発明が限定されるものではない。図３において、図１及び図２と同一部分には同一符号を付してある。
【００５２】
計測流路Ａ、Ｂ、Ｃは、計測流路２６１、２６２、２６３であって、計測流路Ａは厨房用ガス流路（ガス流路８１）に対応し、計測流路Ｂは給湯用ガス流路（ガス流路８２）に対応し、また、計測流路Ｃは暖房用ガス流路（ガス流路８３）に対応する。流量センサーａ、ｂ、ｃは、流量計測部２８１、２８２、２８３の一例であり、例えば、超音波ガスセンサーで構成される。
【００５３】
計測回路部３０は、各計測流路２６１、２６２、２６３を時分割で順次に動作させ、計測流路２６１、２６２、２６３で順次に得られた計測ガス流量を用いてガス使用量を演算するコンピュータで構成され、この実施の形態では、図３に示すように、切替器３４、センサー駆動回路３６、計測制御部３８、測定演算部４０、表示制御部４２を備えている。
【００５４】
切替器３４は、計測流路Ａに設置された流量センサーａ、計測流路Ｂに設置された流量センサーｂ、計測流路Ｃに設置された流量センサーｃの切替手段であるとともに、流量センサーａ、ｂ、ｃの何れかに計測流量を行わせる手段であって、計測制御部３８で切り替えられる例えば、スイッチで構成される。この切替器３４は、センサー駆動回路３６と、流量センサーａ、ｂ、ｃの何れか一つとを接続し、これらの接続は所定の時間間隔で順次に実行される。この実施の形態では、所定の時間間隔で順次駆動を行っているが、ランダムに時間間隔を設定してもよい。
【００５５】
センサー駆動回路３６は、流量センサーａ、ｂ、ｃの駆動手段であって、切替器３４で切り替えられた流量センサーａ、ｂ、ｃの何れかを駆動する。
【００５６】
計測制御部３８は、切替器３４の切替制御手段であって、各流量センサーａ、ｂ、ｃの計測ガス流量のサンプリング時間を設定し、このサンプリング時間毎に順次に各計測ガス流量の計測制御をする制御手段である。
【００５７】
測定演算部４０は、流量センサーａ、ｂ、ｃの各計測ガス流量を流量センサーａ、ｂ、ｃ毎に記憶するとともに、計測ガス流量を流量センサーａ、ｂ、ｃ毎に積算する演算手段であって、計測流路Ａ、Ｂ、Ｃ毎にガス使用量の演算結果を出力する。
【００５８】
表示制御部４２は、表示器４４の表示制御手段であって、測定演算部４０から演算結果を受け、表示器４４に計測流路Ａ、Ｂ、Ｃ毎に、即ち、ガス流路毎にガス使用量を数値表示する。
【００５９】
そして、表示器４４は、ガス使用量等の情報提示手段であって、例えば、ＬＣＤ（Liquid Crystal Display）表示器で構成される。
【００６０】
次に、計測制御部３８、測定演算部４０及び表示制御部４２について、図４を参照する。図４は、計測処理部を示す図である。図４に示す構成は一例であって、斯かる構成に本発明が限定されるものではない。
【００６１】
この計測処理部４６は、計測制御部３８、測定演算部４０及び表示制御部４２の機能や制御を実現する処理手段であって、例えば、マイクロコンピュータで構成され、図４に示すように、プロセッサ４８、プログラム記憶部５０、ＲＡＭ（Random-Access Memory）５２、データ記憶部５４、入出力部５６を備えている。
【００６２】
プロセッサ４８は、処理手段であって、例えば、ＣＰＵ（Central Processing Unit ）又はＭＰＵ（Micro Processor Unit）で構成され、プログラム記憶部５０にあるＯＳ（Operating System）及びアプリケーションプログラムを実行する。プログラム記憶部５０は、プログラムを記録する記録媒体であって、ＯＳの他、アプリケーションプログラムであるガス計測プログラムや、ガス計測システムを構成するためのプログラムを格納し、例えば、ＲＯＭ（Read-Only Memory）で構成される。ＲＡＭ５２は、ワークエリアを構成し、データ記憶部５４は、データの格納手段であって、例えば、記録素子で構成され、計測ガス流量、ガス使用量等が格納される。このデータ記憶部５４には積算テーブル５８（図５）等の各種のデータテーブルが設定され、データがデータベース化されて保存される。入出力部５６は、データの取り込み、表示出力等の表示データ、制御出力の取出し手段である。
【００６３】
次に、積算テーブル及び課金テーブルについて、図５及び図６を参照する。図５は、積算テーブルを示す図、図６は、課金テーブルを示す図である。図５及び図６に示す構成は一例であって、斯かる構成に本発明が限定されるものではない。
【００６４】
この積算テーブル５８は積算情報を格納するデータテーブルの一例であって、図５に示すように、計測流路Ａ（厨房）、計測流路Ｂ（給湯）、計測流路Ｃ（暖房）の流路を特定する流路情報６０、流量センサー情報６２及び時間帯情報６４が格納され、時間帯情報６４には、時間帯１〜４によって特定される時間帯情報６４１、６４２、６４３、６４４が格納されている。時間帯１は例えば、早朝、時間帯２は例えば、午前、時間帯３は例えば、午後、時間帯４は例えば、夜間である。各時間帯１〜４と流量センサーａ、ｂ、ｃによってマトリクスが形成されており、ＶA1、ＶA2、ＶA3、ＶA4、ＶB1、ＶB2、ＶB3、ＶB4、ＶC1、ＶC2、ＶC3、ＶC4は計測流量の積算値（ガス使用量）である。
【００６５】
また、課金テーブル５９は積算情報に対応する課金情報を格納するデータテーブルの一例であって、図６に示すように、計測流路Ａ（厨房）、計測流路Ｂ（給湯）、計測流路Ｃ（暖房）の流路を特定する流路情報６０に対応する課金レート欄６５が設定され、課金レート欄６５には、時間帯１に対応する課金レート欄６５１、時間帯２に対応する課金レート欄６５２、時間帯３に対応する課金レート欄６５３、時間帯４に対応する課金レート欄６５４が格納され、ＲA1、ＲA2、ＲA3、ＲA4、ＲB1、ＲB2、ＲB3、ＲB4、ＲC1、ＲC2、ＲC3、ＲC4は課金レートである。ガス料金は、既述の積算値ＶA1、ＶA2・・・と既述の課金レートＲA1、ＲA2・・・との積（積算値×課金レート）により求められ、料金欄６７にガス料金ＭA 、ＭB 、ＭC （式(4) 〜(6) ）として格納される。
【００６６】
次に、計測ガス流量のサンプリングについて、図７を参照する。図７は、計測ガス流量のサンプリング処理を示す図である。図７に示す構成は一例であって、斯かる構成に本発明が限定されるものではない。
【００６７】
計測ガス流量の計測にはサンプリングパルス｛図７の（Ａ）、（Ｂ）、（Ｃ）｝  が用いられ、これらサンプリングパルスは計測制御部３８に発生させる。図７の（Ａ）に示すサンプリングパルスは、流量センサーａの駆動に用いられ、図７の（Ｂ）に示すサンプリングパルスは、流量センサーｂの駆動に用いられ、図７の（Ｃ）に示すサンプリングパルスは、流量センサーｃの駆動に用いられる。各サンプリングパルスにおいて、時間Ｔ0 は、各流量センサーａ、ｂ、ｃの駆動時間であり、この時間Ｔ0 内でガス流量が計測される。時間ＴA は流量センサーａの計測の時間間隔、時間ＴB は流量センサーｂの計測の時間間隔、時間ＴC は流量センサーｃの計測の時間間隔である。
【００６８】
ここで、時間ＴA 、ＴB 、ＴC において、この実施の形態では、ＴC ＞ＴA ＞ＴB に設定されている。時間ＴA は厨房におけるサンプリング時間であり、厨房では、比較的長時間のガス利用のため、サンプリングレートは中程度の長さでよい。また、時間ＴB は、給湯における蛇口の開閉は間欠駆動が頻繁であるため、サンプリングレートを高め、短時間計測の精度を保つ必要があり、短い時間に設定する。また、時間ＴC は、暖房におけるガス利用は長時間安定しており、サンプリングレートを低くしても計測精度への影響が低いため、長い時間に設定されている。このサンプリングレートは、月に一度の検針に対しての計測精度には何ら影響を与えない。１０秒毎のサンプリングでは８秒の利用を見逃すこともあるが、見つけた場合には１０秒間利用していたと見做せばよい。これを繰り返せば、サンプリングが平均化されて計測精度に影響を与えることはない。より短時間の時間帯別料金の場合には、確率的に見逃してしまう場合や、見つけられる場合が生じることで平均化できずに計測精度に影響が生じることがあるが、この場合には、サンプリング時間を短時間化すればよい。
【００６９】
ところで、このガス計測において、平均流量の計測では、十分に長い時間の平均流量を計測する場合に、サンプリングレートは計測精度に影響を与えることはない。ここでは、サンプリングレートを各流路毎に分けることで、最も変化の激しい給湯用途に合わせた場合に必要とされるサンプリングレートが全流路には必要とされないため、サンプル数を削減でき、消費電力削減や電池寿命、流量計測部２８１、２８２、２８３に設置されたセンサーの寿命を延ばすことができるという効果が得られる。
【００７０】
このようなサンプリングによる計測ガス流量について、流量センサーａの時刻１での瞬時計測流量をＱA1、時刻２での瞬時計測流量をＱA2、時刻３での瞬時計測流量をＱA3・・・、流量センサーｂの時刻１での瞬時計測流量をＱB1、時刻２での瞬時計測流量をＱB2、時刻３での瞬時計測流量をＱB3・・・、流量センサーｃの時刻１での瞬時計測流量をＱC1、時刻２での瞬時計測流量をＱC2、時刻３での瞬時計測流量をＱC3・・・、が切替器３４及び計測制御部３８を通して測定演算部４０に取り込まれ（図３）、データ記憶部５４（図４）に格納される。測定演算部４０では、瞬時計測流量から必要に応じて流量特性や温度圧力の補正を行って、各流路毎に積算値（ＶA1、ＶA2・・・、ＶB1、ＶB2・・・、ＶC1、ＶC2・・・）を求める。各流路毎の積算値が求められた後、各センサー及び時間帯に応じて積算テーブル５８に格納される。
【００７１】
ここで、流量センサーａの積算流量をΣＶA 、流量センサーｂの積算流量をΣＶB 、流量センサーｃの積算流量をΣＶC とすると、積算流量ΣＱA 、ΣＱB 、ΣＱC は、
ΣＶA ＝ＶA1＋ＶA2＋・・・＋ＶAN                    ・・・(1) 
ΣＶB ＝ＶB1＋ＶB2＋・・・＋ＶBN                    ・・・(2) 
ΣＶC ＝ＶC1＋ＶC2＋・・・＋ＶCN                    ・・・(3) 
となる。
【００７２】
また、計測流路Ａ、Ｂ、Ｃ毎、時間帯１、２、３、４毎に課金レート（図６）を異ならせた場合には、時間帯別料金ＭA 、ＭB 又はＭC （図６）は、次の計算式を用いて算出され、
【００７３】
ＭA ＝ＶA1×ＲA1＋ＶA2×ＲA2＋ＶA3×ＲA3＋ＶA4×ＲA4      ・・・(4) 
ＭB ＝ＶB1×ＲB1＋ＶB2×ＲB2＋ＶB3×ＲB3＋ＶB4×ＲB4      ・・・(5) 
ＭC ＝ＶC1×ＲC1＋ＶC2×ＲC2＋ＶC3×ＲC3＋ＶC4×ＲC4      ・・・(6) 
これらは料金欄６７（図６）に格納される。
【００７４】
なお、この実施の形態では、サンプリングパルスによって流量センサーａ、ｂ、ｃを間欠的に動作させているが、各流量センサーａ、ｂ、ｃを連続的に動作させて流量計測を継続し、その計測ガス流量を間欠的に取得する構成であってもよい。
【００７５】
次に、ガス流量計測について、図８を参照する。図８はガス流量計測の処理手順を示すフローチャートである。図８に示す構成は一例であって、斯かる構成に本発明が限定されるものではない。
【００７６】
この処理手順は、ガス計測方法又はガス計測プログラムの一例であって、ガスの流量計測から使用ガス量の演算及びその演算結果の表示等の処理を含んでいる。
【００７７】
この処理手順では、図８に示すように、ガス流量の計測が実行される（ステップＳ１１）。このガス流量の計測は、既述したように、サンプリングパルス（図７）に基づき、ガス流路毎に流量計測部２８１、２８２、２８３又は流量センサーａ、ｂ、ｃが駆動され、ガス流量の計測が行われる。
【００７８】
流量計測部２８１、２８２、２８３又は流量センサーａ、ｂ、ｃの計測ガス流量は、サンプリングパルスに基づいて計測される。そこで、所定の時間が到来したか否かを判定し（ステップＳ１２）、所定の時間が到来すれば（ステップＳ１２のＹＥＳ）、計測ガス流量の計測処理が実行される（ステップＳ１３）。
【００７９】
計測ガス流量はガス流路毎に記憶し（ステップＳ１４）、このガス流量をガス流路毎に積算し、ガス流路毎の時間帯別使用ガス量を演算する（ステップＳ１５）。既述の通り、積算テーブル５８（図５）に計測流路毎のガス流量の積算値が格納され、課金テーブル５９（図６）に設定された時間帯別課金レートＲ1 、Ｒ2 又はＲ3 により、料金Ｍ1 、Ｍ2 、Ｍ3 が算出される。
【００８０】
そして、ガス流路毎にその使用ガス流量を表示部３２（図２）に表示する。この表示はガス流路を表す識別情報とともに表示すれば、ガス流路毎の使用ガス流量を容易に確認でき、認識することができる。
【００８１】
また、この場合、使用ガス流量に課金率を掛け算すれば、ガス流路毎の使用ガス流量の料金を表示部３２に表示し（ステップＳ１６）、その使用料金を容易に確認することができる。
【００８２】
また、ガス流路毎に料金設定を異ならせれば、ユーザーの多様なニーズに応えることができ、ガスの利用拡販に寄与することができる。
【００８３】
この第１の実施の形態の特徴事項、応用例及び効果を以下に列挙する。
【００８４】
(1) 一台のガスメーターで複数の流量計測部が設けられ、１（又はマルチ）インマルチアウトの計測部を持つガスメーター及びガス計測システムを構成できる。
【００８５】
(2) 計測回路部３０では、複数の計測流路に対応する計測用電子基板部の単一化を図ることができる。電子基板部に精密さが要求され、高額化しても、必要な複数の流量計測に兼用できるので、コストダウンとともにシンプル化を図ることができる。
【００８６】
(3) 各流量計測部を計測流路に接続される消費機器（例：ガス給湯器、コンロ、暖房機等）別に専用化することができ、ガス給湯器のように間欠的に利用される可能性の高い流路のサンプリング頻度を高くし、暖房機やコンロのように定常的に利用される可能性の高い流路のサンプリング頻度を低くし、複数の流路を計測していても、ガス流量の見逃しによる計測の不確かさを小さくできる。
【００８７】
(4) 複数の流量計測を低コストで実現でき、ガス機器（接続配管）毎の計量・課金が可能で新しい料金サービスメニューを提供できる。
【００８８】
(5) このガス計測システム２を用いれば、給湯、暖房、厨房、各機器別に異なる単価を設定し、多様な料金プランの適用が可能となる。料金定額プランとして、例えば、厨房は定額、それ以外は従量制とする。調理好きの人に合わせたプランも可能であるし、お風呂好きにはお風呂定額等のライフスタイル提案型料金の設定も可能である。
【００８９】
(6) 用途限定無料提供サービスとして、例えば、特定機器の購入者の利用促進のため、購入後一定期間無料とする等のガス流路個別設定が可能である。
【００９０】
(7) 用途別、時間帯別を組み合わせた家庭用料金サービスの提供も可能であり、ガスの利用拡販に寄与できる。
【００９１】
(8) 複数の機器に用いられるガス流量を計測する際に、従来は一台のガスメーターでガスの利用状況を推測するか、各ガス機器にそれぞれ別々のガスメーターを設置していたが、このような設備の簡略化を実現でき、計測システムの小規模化、低コスト化を図ることができる。
【００９２】
(9) １つの需要地域内で単一のガスメーターを用いてガス流路毎の別ガス料金徴収を実現できる。
【００９３】
〔第２の実施の形態〕
【００９４】
本発明の第２の実施の形態について、図９、図１０及び図１１を参照する。図９は、第２の実施の形態に係るガス計測システムを示す図、図１０は、ガスメーターの計測回路部を示す図、図１１は、管理センターの構成例を示す図である。図９、図１０及び図１１に示す構成は一例であって、斯かる構成に本発明が限定されるものではない。図９、図１０及び図１１において、図１、図２、図３と同一部分には同一符号を付してある。
【００９５】
この実施の形態のガス計測システム２は、ガスメーター６の計測ガス流量を管理センター６６に伝送し、管理センター６６で積算し、ガス使用量をガスメーター６に表示する構成の一例であって、ガスメーター６を通信媒体として例えば、インターネット６８に接続し、このインターネット６８を介して管理センター６６とデータの授受を行えるように構成したものである。通信媒体は、有線であってもよく、また無線であってもよい。
【００９６】
このような通信媒体を用いたガス計測システム２に用いられるガスメーター６は、図１０に示すように、計測回路部３０に通信部７０を備え、この通信部７０によって管理センター６６と通信を行う。通信部７０は、管理センター６６とのデータの送受を行う通信手段であって、この実施の形態では、インターネット６８を媒介としている。
【００９７】
この場合、流量計測部２８１、２８２、２８３の時分割で得られた計測ガス流量は、計測制御部３８から通信部７０に加えられ、この通信部７０から管理センター６６に伝送される。また、管理センター６６で得られた計測流路毎の積算値であるガス使用量がインターネット６８を通して通信部７０に伝送され、測定演算部４０及び表示制御部４２を通して表示器４４に出力され、表示される。
【００９８】
この場合、管理センター６６は、計測ガス流量の演算手段であって、例えば、コンピュータによって構成され、図１１に示すように、通信部７２、計測処理部７４、表示部７６を備える。
【００９９】
通信部７２は、ガスメーター６とのデータ通信を行う通信手段である。計測処理部７４は、通信部７２から取得された計測ガス流量をガス流路毎に記憶し、ガス流路毎に積算し、ガス使用量を演算する。この演算結果は、通信部７２を通してインターネット６８に接続されているガスメーター６の通信部７０に伝送され、表示器７４に表示される。表示内容は、第１の実施の形態と同様であり、また、計測値の処理手順については図８に示す処理手順と同様であるので、その説明を省略する。
【０１００】
〔第３の実施の形態〕
【０１０１】
第１の実施の形態のガスメーター６（図２）では、計測流路２６１、２６２、２６３のみに流量計測部２８１、２８２、２８３を設置したが、図１２に示すように、入口側流路２２にも流量計測部７８を設置し、この流量計測部７８の計測流量を計測回路部３０で取得し、常時監視する構成としてもよい。斯かる構成では、料金設定を流路毎に設定することができ、例えば、発電用等の特定の用途への従量制課金を変えたり、固定料金を変えたりすることができる。
【０１０２】
〔第４の実施の形態〕
【０１０３】
第１の実施の形態のガスメーター６（図２）では単一の入口側流路２２を備える構成としたが、図１３に示すように、複数のガス供給路５に接続される入口部１０１８、２０１８と、ガス流路が接続される出口部１２０１、１２０２、１２０３、２２０１、２２０２、２２０３が設けられ、入口部１０１８には入口側流路１０２２が接続され、この入口側流路１０２２には複数の分岐部２４が形成されて複数のガス流路として計測流路１２６１、１２６２、１２６３が形成され、計測流路１２６１、１２６２、１２６３には出口部１２０１、１２０２、１２０３を介してガス流路が接続され、また、入口部２０１８には入口側流路２０２２が接続され、この入口側流路２０２２には複数の分岐部２４が形成されて複数のガス流路として計測流路２２６１、２２６２、２２６３が形成され、計測流路２２６１、２２６２、２２６３には出口部２２０１、２２０２、２２０３を介してガス流路が接続される構成としてもよい。従って、この実施の形態のガスメーター６は、単一のガスメーターであって、複数の流量計測部１２８１、１２８２、１２８３、２２８１、２２８２、２２８３を備えた２イン（マルチイン）マルチアウトの計測部を構成している。この場合、各流量計測部１２８１、１２８２、１２８３、２２８１、２２８２、２２８３の各計測ガス流量は時分割で単一の計測回路部３０に順次に取得されてガス流路毎に積算され、ガス流路毎のガス使用量を演算し、表示することができる。
【０１０４】
〔第５の実施の形態〕
【０１０５】
第４の実施の形態では、入口側流路１０２２、２０２２を外部のガス供給路に独立して接続可能に構成したが、図１４に示すように、入口側流路１０２２、２０２２を結合するとともに、入口側流路１０２２に開閉弁９１、入口側流路２０２２に開閉弁９２を設置し、各開閉弁９１、９２を開閉制御手段を構成する例えば、計測回路部３０で選択的に開閉し、計測系統を選択可能に構成してもよい。遮断弁を活用し、不払いにより通常ならば閉栓する顧客に、寒冷地ゆえに凍死を防ぐために閉栓を免除していた場合でも、生存に不可欠な暖房用のガス利用のみ利用可能とし、厨房用、給湯用の閉栓を選択的に実施して、不払い分の支払いを促すことも可能である。
【０１０６】
〔他の実施の形態〕
【０１０７】
(1) 複数の流路を設定しているので、特定の流路を計測しないという構成にもできる。この場合、その流路に接続される機器は課金されないというサービスも提供できる。
【０１０８】
(2) 流量計測部を複数持ち、計測回路部は一つ又は複数持つが、間欠計測中に複数の計測部を計測することで、計測回路部は全ての流量計測部と１対１である必要はない。
【０１０９】
(3) 上記実施の形態では、表示部を単一化しているが、ガス使用量表示部と料金表示部とを別に設置してもよい。
【０１１０】
(4) 上記実施の形態では、３本の計測流路を設定したガスメーターを例示したが、４本以上の計測流路でもよく、また、２本の計測流路であってもよく、本発明は上記実施の形態に限定されるものではない。
【０１１１】
(5) 上記実施の形態では、ガス流路毎にガス流量を計測することを例示したが、測定対象をガス機器に設定すれば、ガス機器毎のガス流量を計測してもよく、本発明は上記実施の形態に限定されるものではない。
【０１１２】
(6) 上記実施の形態の課金について、課金テーブルや課金の計算は、計量値を基にメーター内部で行わずに、検針値を基に顧客情報管理センターにて管理、算出し、料金欄にはメーター外部で算出された情報を格納する構成としてもよい。課金レートの設定は、課金レートの変更に伴って書き替えられる機能があることが望ましい。課金レート書替えには、通信部７０を利用すればよい。課金レートの書替えは、遠隔通信で行えることが望ましい。また、課金レートは、当該ガス事業者、検針事業者のみ書き替えられるように、暗号化、鍵等のセキュリティ対策がハード又はソフト的に施されていることが望ましい。課金レートは０を含み、特定用途の課金を無料にすることもできる。
【０１１３】
以上説明したように、本発明の最も好ましい実施の形態等について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１１４】
本発明は、複数のガス機器にガスを供給する場合のガス使用量の計測に関し、複数のガス機器にガスを供給する場合のガス使用量の計測をガス流路毎に又はガス機器毎に行うことができ、ガス計量と課金体系の多様化を図ることができ、有用である。
【図面の簡単な説明】
【０１１５】
【図１】第１の実施の形態に係るガス計測システムを示す図である。
【図２】ガスメーターを示す図である。
【図３】計測回路部の構成例を示す図である。
【図４】計測処理部を示す図である。
【図５】積算テーブルを示す図である。
【図６】課金テーブルを示す図である。
【図７】計測ガス流量のサンプリング処理を示す図である。
【図８】ガス流量計測の処理手順を示すフローチャートである。
【図９】第２の実施の形態に係るガス計測システムを示す図である。
【図１０】ガスメーターの計測回路部を示す図である。
【図１１】管理センターの構成例を示す図である。
【図１２】第３の実施の形態に係るガスメーターを示す図である。
【図１３】第４の実施の形態に係るガスメーターを示す図である。
【図１４】第５の実施の形態に係るガスメーターを示す図である。
【図１５】従来のガスメーターを示す図である。
【符号の説明】
【０１１６】
２  ガス計測システム
４  ガス供給源
５  ガス供給路
６  ガスメーター
８１、８２、８３  ガス流路
１２１、１２２  厨房機器
１４１、１４２  給湯機器
１６１、１６２  暖房機器
１８  入口部
２０１、２０２、２０３  出口部
２２  入口側流路
２４  分岐部
２６１、２６２、２６３  計測流路
２８１、２８２、２８３  流量計測部
３０  計測回路部
３２  表示部
３４  切替器
３６  センサー駆動部
３８  計測制御部
４０  測定演算部
４２  表示制御部
４４  表示器
４６  計測処理部
４８  プロセッサ
５０  プログラム記憶部
５２  ＲＡＭ
５４  データ記憶部
５６  入出力部
５８  積算テーブル
５９  課金テーブル
６６  管理センター
６８  インターネット
７０  通信部
７２  通信部
７４  計測処理部
７６  表示部
７８  流量計測部
９１、９２  開閉弁
ａ、ｂ、ｃ  流量センサー
Ａ、Ｂ、Ｃ  計測流路
１０１８、２０１８  入口部
１０２２、２０２２  入口側流路
１０３２、２０３２  表示部
１２０１、１２０２、１２０３、２２０１、２２０２、２２０３  出口部
１２６１、１２６２、１２６３、２２６１、２２６２、２２６３  計測流路
１２８１、１２８２、１２８３、２２８１、２２８２、２２８３  流量計測部
【図１】
2010043867.tif 000003
【図２】
2010043867.tif 000004
【図３】
2010043867.tif 000005
【図４】
2010043867.tif 000006
【図５】
2010043867.tif 000007
【図６】
2010043867.tif 000008
【図７】
2010043867.tif 000009
【図８】
2010043867.tif 000010
【図９】
2010043867.tif 000011
【図１０】
2010043867.tif 000012
【図１１】
2010043867.tif 000013
【図１２】
2010043867.tif 000014
【図１３】
2010043867.tif 000015
【図１４】
2010043867.tif 000016
【図１５】
2010043867.tif 000017